(57)【要約】【課題】いつでもどこでも各種複数種類の光を肌に照射することができて、化粧をしたり装身具を身に付けたりする際などに、肌の色合いを様々に変化させてそれを鏡で見ることができる携帯用ケースを提供する。【解決手段】収納部１１を有するケース本体４を開閉する蓋体８に、肌を映し出すための鏡９を取り付けたコンパクト１において、肌の色を様々に変化させるために、肌に向かって複数種類の光を照射可能な光源部１８と、光源部を発光させるバッテリ２５と、光源部から発光される光の種類を切り換えるための切換スイッチ２４とを備えた。光源部から発光される光の明るさをコントロールする調光手段としてスライドスイッチ２０を備えた。【選択図】図１
2005158320.tif 000002
【特許請求の範囲】
【請求項１】
収納部を有するケース本体を開閉する蓋体に、肌を映し出すための鏡を取り付けた携帯用ケースにおいて、肌の色を様々に変化させるために、肌に向かって複数種類の光を照射可能な光源部と、該光源部を発光させるバッテリと、上記光源部から発光される光の種類を切り換えるための切換スイッチとを備えたことを特徴とする携帯用ケース。
【請求項２】
上記光源部から発光される光の明るさをコントロールする調光手段を備えたことを特徴とする請求項１に記載の携帯用ケース。
【発明の詳細な説明】
【技術分野】
【０００１】
本発明は、いつでもどこでも各種複数種類の光を肌に照射することができて、化粧をしたり装身具を身に付けたりする際などに、肌の色合いを様々に変化させてそれを鏡で見ることができる携帯用ケースに関する。
【背景技術】
【０００２】
光源を用いた携帯用容器としては、例えば特許文献１が知られている。この「光源を有する携帯用容器」は、照度の低い所、例えば、夜の屋外、ＯＨＰを用いた会議の席や夜間の車の中でも、カバンの内部や、メモ帳に筆記する手元、また鏡に写る化粧時の顔を見ることができることを目的とし、容器本体と、この容器本体に開閉自在に取り付けられた上蓋部とを備え、上蓋部の内面に光源を備え、また光源の近傍に鏡を備え、さらには鏡は光源の下方に設けられる構造を具備し、照度の低い所でも、対象物を照らすことができ、また照度の低い所でも鏡に写る化粧時の顔を見ることができるという作用効果を奏するようになっている。
【特許文献１】特開平１１−１０２６０１号公報
【発明の開示】
【発明が解決しようとする課題】
【０００３】
ところで、上述した従来の光源を有する携帯用容器は、まさに照明本来の目的、すなわち単に暗い所で、明るさを得るというものであった。すなわち、照度の低い所で明るくして見えるようにするにあたり、化粧時の顔を見えるようにすることと、対象物を照らすこととが同じ意味で考えられていた。
【０００４】
他方、例えば美顔の分野においては、化粧映えを照明との関係で考える必要がある。すなわち、太陽光に当たるのか、室内の蛍光灯に当たるのか、白熱電球か、さらにはろうそくに当たるのか、間接照明か直接照明かなど、光源の種類や当たり方によって、化粧をする肌の色合いが変化するので、その色合いの変化に合わせて化粧映えのする美顔を施すことが望ましい。このことは、装身具、例えばピアスやイヤリングなどを身に付ける場合でも同様である。そして、美顔や装身具を身に付けるに際し、いつでもどこでも、これら各種複数種類の光を肌に照射してその色合いを見ることができ、その上で化粧をしたり、装身具を選ぶことができればきわめて便利かつ有用であり、そのような携帯用ケースの案出が望まれていた。
【０００５】
本発明は上記従来の課題に鑑みて創案されたものであって、いつでもどこでも各種複数種類の光を肌に照射することができて、化粧をしたり装身具を身に付けたりする際などに、肌の色合いを様々に変化させてそれを鏡で見ることができる携帯用ケースを提供することを目的とする。
【課題を解決するための手段】
【０００６】
本発明にかかる携帯用ケースは、収納部を有するケース本体を開閉する蓋体に、肌を映し出すための鏡を取り付けた携帯用ケースにおいて、肌の色を様々に変化させるために、肌に向かって複数種類の光を照射可能な光源部と、該光源部を発光させるバッテリと、上記光源部から発光される光の種類を切り換えるための切換スイッチとを備えたことを特徴とする。
【０００７】
また、上記光源部から発光される光の明るさをコントロールする調光手段を備えたことを特徴とする。
【発明の効果】
【０００８】
本発明にかかる携帯用ケースにあっては、いつでもどこでも各種複数種類の光を肌に照射することができて、化粧をしたり装身具を身に付けたりする際などに、肌の色合いを様々に変化させてそれを鏡で見ることができる。
【発明を実施するための最良の形態】
【０００９】
以下に、本発明にかかる携帯用ケースの好適な一実施形態を、添付図面を参照して詳細に説明する。本実施形態にあっては図１〜図３に示すように、携帯用ケースとして化粧用のコンパクト１が例示されている。しかしながら、このようなコンパクト１に限らず、装身具など、肌に付ける物品を収納するその他の携帯用ケースであってもよいことはもちろんである。
【００１０】
図示したコンパクト１は、外周壁２によって内部に凹所３が区画形成された携行可能な大きさのケース本体４と、このケース本体４の後端にヒンジ５を介して回動自在に連結され、前端のフック６がケース本体４の係合突起７に係脱自在に係合されてケース本体４を開閉自在に閉止する蓋体８とから主に構成される。蓋体８には、その裏面に肌を映し出すための鏡９が取り付けられる。
【００１１】
ケース本体４の凹所３内には、外周壁２の上端にフランジ部１０が係脱自在に係止されて、化粧料Ｐを収納する収納部１１を有する中皿１２が設けられる。この中皿１２によって、ケース本体４に収納部１１が形成される。収納部１１は、ケース本体４の前後方向中央に横方向に長い矩形状に形成され、中皿１２には、この収納部１１の前方にこれに沿って、上下方向に貫通する穴部１３が形成されるとともに、鏡９に隣接する収納部１１の後方にこれに沿って、上下方向に貫通する窓部１４が形成される。窓部１４には、透光性を有する板状のカバー１５が設けられる。また、穴部１３には、その長さ方向に沿って適宜間隔を隔てて孔部１６が形成されたパネル１７が嵌合される。
【００１２】
窓部１４のカバー１５の下方には、凹所３内に収容して光源部１８が設けられる。この光源部１８は、肌の色を様々に変化させるために、複数のＬＥＤや有機ＥＬなどからなる発光素子１９によって構成され、これら発光素子１９は、窓部１４の長さ方向、すなわちケース本体４の左右方向に適宜間隔を隔てて配列されて設けられる。すなわち、これら発光素子１９としては、太陽の光や、蛍光灯の光、白熱電球の光、ろうそくの光、この他にも暮色を表す光など、これら光を個別に発光するものが用いられる。これら発光素子１９は、蓋体８を開いた際に肌に向かって光を照射してその肌を鏡に映し出せるように、蓋体８の取り付け位置に近い、ケース本体４の後端側からカバー１５を介して、前方かつ上方へ向かって光を照射すべく、凹所３内に前方上向きに傾けて取り付けられる。
【００１３】
他方、穴部１３のパネル１７には、各孔部１６に嵌め込んで、スライドスイッチ２０および複数の押しボタン２１が設けられるとともに、各押しボタン２１の下方には凹所３内の段部２２上に配置して、各押しボタン２１によって個別に操作される複数のプッシュスイッチ２３が設けられる。そしてこれら複数対の押しボタン２１およびプッシュスイッチ２３によって、光源部１８から発光される光の種類を切り換えるための切換スイッチ２４が構成される。スライドスイッチ２０は、光源部１８の発光をＯＮ・ＯＦＦするとともに、可変抵抗などが組み込まれていて、そのスライド操作により発光素子１９から発光される光の明るさをコントロールする調光手段として兼用される。また切換スイッチ２４では、いずれかの押しボタン２１を押すことで対応するプッシュスイッチ２３がＯＮされていずれかの発光素子１９が発光し、他の押しボタン２１を押すことで、これまでＯＮであったプッシュスイッチ２３がＯＦＦになって、他の発光素子１９が発光するようになっている。
【００１４】
他方、ケース本体４の凹所３内には、収納部１１の下方に位置させて、光源部１８を発光させる乾電池やボタン電池等のバッテリ２５が交換自在に装着されるバッテリ収納部２６が形成され、バッテリ収納部２６のバッテリ２５は、凹所３内に配線したリード線２７によって切換スイッチ２４および光源部１８と順次接続され、スライドスイッチ２０の操作と押しボタン２１の操作とで、いずれかの発光素子１９を発光させたり、光源部１８を消灯するようになっている。
【００１５】
以上の構成を備える本実施形態にかかるコンパクト１の作用について説明すると、化粧など美顔を施すためにフック６を係合突起７から外して蓋体８を開き、鏡９に肌を映し出せるように蓋体８をケース本体４に対して立てると、通常のコンパクトと同様に、ケース本体４上面には化粧料Ｐを収納した収納部１１が露出される。この状態で、スライドスイッチ２０を操作してバッテリ２５の電力を光源部１８に供給すると、光源部１８のいずれかの発光素子１９が特定の光を発する。他の光に変えたいときには、いずれかの押しボタン２１を押して対応するプッシュスイッチ２３をＯＮにする。これにより、光の種類を切り換えることができる。また、スライドスイッチ２０をスライド操作することにより、光の明暗をコントロールすることができる。
【００１６】
特に、発光素子１９として、太陽の光や蛍光灯の光、白熱電球の光など、複数種類用い、これを切換スイッチ２４で切り換えるようにしたので、肌の色合いなどを、複数種類の光を照射する複数の発光素子１９からなる光源部１８からの光によって様々に変化させることができる。そして、発光素子１９から向かった光で照らし出される様々な肌の色合いや表情を、蓋体８の鏡９によって映し出すことができる。
【００１７】
このように本実施形態にかかるコンパクト１にあっては、光源の種類や当たり方によって変化する肌の色合いに合わせて美顔を施すことが可能となり、特にバッテリ２５を内蔵して携帯可能であるので、いつでもどこでもこれら各種複数種類の光を肌に照射してその色合いを見ることができ、その上で化粧などをすることができてきわめて便利かつ有用である。
【００１８】
上記実施形態にあっては、化粧用のコンパクト１を例示して説明したが、装身具など、肌に付ける物品を収納するその他の携帯用ケースに適用しても、同様な作用効果を得ることができることはもちろんである。
【図面の簡単な説明】
【００１９】
【図１】本発明にかかる携帯用ケースの好適な一実施形態を示す、蓋体を開いた状態のコンパクトの斜視図である。
【図２】図１のコンパクトの蓋体を閉止した状態の側断面図である。
【図３】図１のコンパクトの側断面図である。
【符号の説明】
【００２０】
１  コンパクト
４  ケース本体
８  蓋体
９  鏡
１１  収納部
１８  光源部
２０  スライドスイッチ
２４  切換スイッチ
２５  バッテリ
【図１】
2005158320.tif 000003
【図２】
2005158320.tif 000004
【図３】
2005158320.tif 000005